(57)【要約】      （修正有）【課題】壁等に掛けて吊り下げて使用することは勿論、机等の上に置いても使用することができると共にカレンダー紙を剥がす場合に紙粉塵が発生しない日めくりカレンダーを提供する。【解決手段】日めくりカレンダー１０はカレンダー本体１２とこのカレンダー本体１２の背面に位置するスタンド１４とから構成されている。カレンダー本体１２は表紙１６、背面紙及び表紙１６と背面紙の間に配設される複数枚のカレンダー紙を備えている。これら表紙１６、背面紙、カレンダー紙は表紙１６の上端面１６Ａ、背面紙の上端面、カレンダー紙の上端面で接着剤で綴じられている。スタンド１４のスタンドベース体２１には吊下げ用紐２４が取り付けられている。スタンドベース体２１の背面にはスタンドベース体２１と共にスタンド１４を構成するスタンドプレートが設けられている。【選択図】図１
0003163589.tif 000002
【実用新案登録請求の範囲】
【請求項１】
カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体と一緒に前記スタンドを構成すると共に前記スタンドベース体を傾斜状態で支持するスタンドプレートと、を有してなることを特徴とする日めくりカレンダー。
【請求項２】
カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体と一緒に前記スタンドを構成すると共に前記スタンドベース体の背面に折り曲げ可能に設けられたスタンドプレートと、このスタンドプレートの中間部に形成されたプレート折曲部と、前記スタンドプレートに形成されたプレート支持部及びプレート底部と、前記プレート支持部に形成されたプレート係止体と、前記スタンドベース体に形成されると共に前記プレート係止体が係止可能なプレート係止体被係止部と、を有してなることを特徴とする日めくりカレンダー。
【請求項３】
カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体の正面側下端部に突出形成されたカレンダー本体載置部と、前記スタンドベース体と一緒に前記スタンドを構成すると共に前記スタンドベース体の背面に折り曲げ可能に設けられたスタンドプレートと、このスタンドプレートの中間部に形成されたプレート折曲部と、このプレート折曲部を境にして前記スタンドプレートに形成されたプレート支持部及びプレート底部と、前記プレート支持部に形成されたプレート係止体と、前記スタンドベース体に形成されると共に前記プレート係止体が係止可能なプレート係止体被係止部と、を有してなることを特徴とする日めくりカレンダー。
【考案の詳細な説明】
【技術分野】
【０００１】
本考案は、日めくりカレンダーに関し、壁に掛けても机等に置いても使用することができる日めくりカレンダーに関する。
【背景技術】
【０００２】
従来より月日や曜日等が印刷されたカレンダー紙をめくって剥がす日めくりカレンダーが知られている（特許文献１）。
しかし、従来の日めくりカレンダーは適宜手段を用いて壁等に掛けて吊り下げて使用するタイプのものである。
このため、前記日めくりカレンダーは机等の上に置いて使用するには適していない。
また、従来の日めくりカレンダーは月日や曜日等が印刷されたカレンダー紙を上端部でビス等の適宜手段で綴じてカレンダー本体を構成している。そして、一枚一枚のカレンダー紙はカレンダー紙の上端部に形成されたミシン目で切り剥がすためカレンダー紙を切り剥がす際に紙粉塵が舞い落ちるという不具合がある。
【先行技術文献】
【特許文献】
【０００３】
【特許文献１】実開昭６２−１０２５６６号公報
【考案の概要】
【考案が解決しようとする課題】
【０００４】
本考案は、上記事実に鑑みなされたものであり、壁等に掛けて吊り下げて使用することは勿論、机等の上に置いても使用することができると共にカレンダー紙を剥がす場合に紙粉塵が発生しない日めくりカレンダーを提供するものである。
【課題を解決するための手段】
【０００５】
請求項１の考案は、カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体と一緒に前記スタンドを構成すると共に前記スタンドベース体を傾斜状態で支持するスタンドプレートと、を有してなることを特徴としている。
請求項２の考案は、カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体と一緒に前記スタンドを構成すると共に前記スタンドベース体の背面に折り曲げ可能に設けられたスタンドプレートと、このスタンドプレートの中間部に形成されたプレート折曲部と、前記スタンドプレートに形成されたプレート支持部及びプレート底部と、前記プレート支持部に形成されたプレート係止体と、前記スタンドベース体に形成されると共に前記プレート係止体が係止可能なプレート係止体被係止部と、を有してなることを特徴としている。
請求項３の考案は、カレンダー本体とこのカレンダー本体の背面に位置するスタンドとから構成された日めくりカレンダーであって、前記カレンダー本体を構成すると共に上端面で接着されて綴じられると共に月日や曜日が印刷された複数枚のカレンダー紙と、前記スタンドを構成するスタンドベース体の上端部に取り付けられたカレンダー吊下げ用係止体と、前記スタンドベース体の正面側下端部に突出形成されたカレンダー本体載置部と、前記スタンドベース体と一緒に前記スタンドを構成すると共に前記スタンドベース体の背面に折り曲げ可能に設けられたスタンドプレートと、このスタンドプレートの中間部に形成されたプレート折曲部と、このプレート折曲部を境にして前記スタンドプレートに形成されたプレート支持部及びプレート底部と、前記プレート支持部に形成されたプレート係止体と、前記スタンドベース体に形成されると共に前記プレート係止体が係止可能なプレート係止体被係止部と、を有してなることを特徴としている。
【考案の効果】
【０００６】
本考案の日めくりカレンダーは、壁等に掛けて吊り下げて使用するだけでなく、机等の上に置いて使用することができるので使用用途を広げることができるという優れた効果を有する。
本考案の日めくりカレンダーは、複数のカレンダー紙を上端面で接着して綴じているのでカレンダー紙を剥がす場合に紙粉塵が発生しないという優れた効果を有する。
【図面の簡単な説明】
【０００７】
【図１】実施例の日めくりカレンダーの正面図である。
【図２】実施例の日めくりカレンダーの背面図である。
【図３】実施例の日めくりカレンダーの使用状態を示す正面斜めからの全体斜視図である。
【図４】実施例の日めくりカレンダーの使用状態を示す背面斜めからの全体斜視図である。
【考案を実施するための形態】
【０００８】
考案を実施するために最良の形態の例として以下のような実施例を示す。
【実施例１】
【０００９】
図１〜図４には本考案の日めくりカレンダーの一実施例が示されている。
図１及び図４に示されるように、この日めくりカレンダー１０はカレンダー本体１２とこのカレンダー本体１２の背面に位置するスタンド１４とから構成されている。
前記カレンダー本体１２は表紙１６、背面紙１８及び表紙１６と背面紙（図示せず）の間に配設される複数枚のカレンダー紙２０を備えている。これら表紙１６、背面紙、カレンダー紙２０は表紙１６の上端面１６Ａ、背面紙の上端面、カレンダー紙２０の上端面２０Ａで接着剤で接着されて確実に綴じられている。
従って、日めくりカレンダー１０の表紙１６、カレンダー紙２０は確実に綴じられているが、表紙１６、カレンダー紙２０を少し強く引っ張れば表紙１６、カレンダー紙２０を容易に剥がすことができるようになっている。
なお、この実施例の日めくりカレンダー１０は故事ことわざカレンダーであるので、図３に示されるように前記カレンダー紙２０の正面には月日、曜日以外に故事、ことわざが記載されている。
この実施例では前記スタンド１４は合成樹脂材としてのポリプロピレンで形成されている。
前記スタンド１４を構成する矩形状のスタンドベース体２１での上端部には紐挿通孔２２，２２が形成され、これら紐挿通孔２２，２２にはカレンダー吊下げ用係止体としての吊下げ用紐２４がループ状に取り付けられている。従って、この吊下げ用紐２４を使用することにより日めくりカレンダー１０を壁等に掛けて吊り下げて使用できるようになっている。
図３に示されるように、前記スタンドベース体２１の正面側には浅い凹部２６が形成され前記カレンダー本体１２の一部が収容されるようになっている。
前記スタンドベース体２１の正面側下端部にはカレンダー本体載置部２８が前方に突出するように一体形成されている。このカレンダー本体載置部２８には前記カレンダー本体１２が載置されるようになっている。なお、図１に示されるように、カレンダー本体載置部２８の中央部には凹部３０が形成されており、カレンダー紙２０を捲って剥がす場合に指をカレンダー本体１２の下端面に当接し易いようになっている。
図２に示されるように、前記スタンドベース体２１の背面にはスタンドベース体２１と一緒に前記スタンド１４を構成すると共にスタンドベース体を傾斜状態で支持するスタンドプレート３２が設けられている。
このスタンドプレート３２は下端部３４で前記スタンドベース体２１と折り曲げ自在に接続されている。
前記スタンドプレート３２の中間部にはプレート折曲部３６が形成されており、プレート折曲部３６を境にして前記スタンドプレート３２をプレート支持部３８とプレート底部４０に区画している。
前記プレート支持部３８の先端部両側面にはプレート係止体としてのプレート係止ピン４２，４２が突設されている。
また、前記スタンドベース体２１には上下方向に向かって３段にスタンド係止体被係止部としてのプレート係止ピン嵌合部４４，４４が形成されている。このプレート係止ピン嵌合部４４，４４を３段に形成することによりスタンドベース体２１の傾斜角度を３段階に調節できるようになっている。
従って、図４に示されるように前記プレート係止ピン４２，４２を前記プレート係止ピン嵌合部４４，４４と嵌合するとスタンドプレート３２は側面視略三角形状に固定されて安定して前記カレンダー本体１２を傾斜状態で保持できるようになっている。
【００１０】
実施例の日めくりカレンダー１０の作用を説明する。
図１に示されるように、前記日めくりカレンダー１０を壁に吊り下げて使用する場合は吊下げ用紐２４を壁に突設されている突起部に掛けて吊り下げる。
これにより、日めくりカレンダー１０を吊り下げて使用することができる。
前記日めくりカレンダー１０を机の上に置いて使用する場合はスタンドプレート３２を下端部３４を中心にして後方に回動するように折り曲げる。
そして、スタンドプレート３２のプレート折曲部３６でスタンドプレート３２を側面視略三角形状に折り曲げる。
次に、スタンドプレート３２のプレート係止ピン４２，４２をスタンドベース体２１のプレート係止ピン嵌合部４４，４４に嵌合するとスタンドプレート３２が側面視三角形状に固定される。
従って、図４に示されるように前記日めくりカレンダー１０を机の上に安定した状態で置くことができる。
この結果、カレンダー本体１２は少し傾斜した状態を維持するので、日めくりカレンダー１０は机の上に置いて使用することもできる。
前記日めくりカレンダー１０の複数のカレンダー紙２０は上端面２０Ａで接着剤によって綴じられているがカレンダー紙２０を少し強く引っ張ればカレンダー紙２０は容易に剥がれる。しかも、カレンダー紙２０は上端面２０Ａで互いに接着剤で接着されているので、カレンダー紙２０を剥がす場合に紙粉塵が発生することはない。
【００１１】
なお、実施例では前記カレンダー紙２０に故事、ことわざが記載された故事ことわざカレンダーを示したが、故事ことわざカレンダーに限定されるものでないことは勿論である。
また、実施例ではカレンダー吊下げ用係止体としての吊下げ用紐２４を示したが、カレンダー吊下げ用係止体は吊下げ用紐２４に限定されるものでないことは勿論である。
【産業上の利用可能性】
【００１２】
本考案の日めくりカレンダー１０は、実施例では前記カレンダー紙２０に故事、ことわざが記載された故事ことわざカレンダーを示したが、故事ことわざカレンダー以外にも利用することができる。
【符号の説明】
【００１３】
１０    日めくりカレンダー
１２    カレンダー本体
１４    スタンド
１６    表紙
１６Ａ  上端面
１８    背面紙
１８Ａ  上端面
２０    カレンダー紙
２１    スタンドベース体
２２    紐挿通孔
２４    吊下げ用紐
２６    凹部
２８    カレンダー本体載置部
３０    凹部
３２    スタンドプレート
３４    下端部
３６    プレート折曲部
３８    プレート支持部
４０    プレート底部
４２    プレート係止ピン
４４    プレート係止ピン嵌合部
【図１】
0003163589.tif 000003
【図２】
0003163589.tif 000004
【図３】
0003163589.tif 000005
【図４】
0003163589.tif 000006